(57)【要約】【課題】アプリケーション機能を迅速に起動するシステム及びその方法を提供する。【解決手段】このアプリケーション機能を迅速に起動するシステムは、主にプロセッサー基本システム中に適用され、受取ユニット１０、識別ユニット２０、機能選択インターフェース３０及び機能起動ユニット４０を含む。受取ユニット１０は第一データを受け取り、識別ユニット２０は該第一データをデータベースと比較対照し、比較対照結果に基づき少なくとも一つの第二データを出力する。機能選択インターフェース３０は各第二データに対して対応する機能候補選択肢を発生し、機能起動ユニット４０は各機能候補選択肢の誘発を探知後、データベースより該機能候補選択肢のプロセス起動指令をロードし、対応するアプリケーション機能を起動する。これにより、第一データの識別を通して関連する機能候補選択肢を自動的に列記しアプリケーション機能を迅速に起動する目的を達成する。【選択図】図１
2007317190.tif 000002
【特許請求の範囲】
【請求項１】
このアプリケーション機能を迅速に起動するシステムは、主にプロセッサー基本システム中に適用され、受取ユニット、識別ユニット、機能選択インターフェース、機能起動ユニットを含み、
前記受取ユニットは第一データを受け取り、
前記識別ユニットはさらにデータベースを含み、前記識別ユニットは前記第一データを前記データベースと比較対照し、少なくとも一つの第二データを出力し、
前記機能選択インターフェースは前記各第二データに対して対応する機能候補選択肢を発生し、
前記機能起動ユニットは前記各機能候補選択肢の一つが選択され誘発されたことを探知すると、前記データベースより該機能候補選択肢のプロセス起動指令をロードし、このプロセッサー基本システム中の対応するアプリケーション機能を起動することを特徴とするアプリケーション機能を迅速に起動するシステム。
【請求項２】
前記第一データはキャラクターデータ或いはストリングデータであることを特徴とする請求項１記載のアプリケーション機能を迅速に起動するシステム。
【請求項３】
前記第一データは入力モジュール或いはデータキャプチャーモジュールにより発生することを特徴とする請求項１記載のアプリケーション機能を迅速に起動するシステム。
【請求項４】
前記データキャプチャーモジュールは文書に対して分析を行い、少なくとも一つのデータをキャプチャーし、前記第一データを発生することを特徴とする請求項３記載のアプリケーション機能を迅速に起動するシステム。
【請求項５】
前記受取ユニットはさらに一次保存ユニットを含み、前記第一データを保存することを特徴とする請求項１記載のアプリケーション機能を迅速に起動するシステム。
【請求項６】
前記データベースはデータ型態、バイト及びデータ内容をサーチ条件のカテゴリーとすることを特徴とする請求項１記載のアプリケーション機能を迅速に起動するシステム。
【請求項７】
前記各第二データは名称或いはコード情報であることを特徴とする請求項１記載のアプリケーション機能を迅速に起動するシステム。
【請求項８】
前記各機能候補選択肢はそれぞれコードナンバー、文字説明、符号或いは図示の欄を備えることを特徴とする請求項１記載のアプリケーション機能を迅速に起動するシステム。
【請求項９】
前記アプリケーション機能はアプリケーションプログラム或いはアプリケーションサービスであることを特徴とする請求項１記載のアプリケーション機能を迅速に起動するシステム。
【請求項１０】
前記アプリケーションサービスはリモートエンドのインターネットサーバーに連結することを特徴とする請求項９記載のアプリケーション機能を迅速に起動するシステム。
【請求項１１】
前記プロセッサー基本システムはモバイル通信装置、PDA、コンピュータ、工業用コンピュータシステム或いは情報家電製品であることを特徴とする請求項１記載のアプリケーション機能を迅速に起動するシステム。
【請求項１２】
このアプリケーション機能を迅速に起動する方法は、主にプロセッサー基本システムに適用され、
第一データを受け取り、一次保存ユニットに保存し、
前記第一データのフォーマットを分析し、該第一データをデータベースと比較対照し、
比較対照結果に基づき、少なくとも符合する第二データを出力し、
機能選択インターフェースを提供して、前記各第二データに基づき、対応する機能候補選択肢を列記し、
機能起動ユニットを提供して、前記各機能候補選択肢が選択され誘発されると、該機能候補選択肢のプロセス起動指令を執行し、このプロセッサー基本システム中の対応するアプリケーション機能を起動することを特徴とするアプリケーション機能を迅速に起動する方法。
【請求項１３】
前記第一データは文字データ或いは連続文字データであることを特徴とする請求項１２記載のアプリケーション機能を迅速に起動する方法。
【請求項１４】
前記第一データは入力モジュール或いはデータキャプチャーモジュールにより発生することを特徴とする請求項１２記載のアプリケーション機能を迅速に起動する方法。
【請求項１５】
前記データキャプチャーモジュールは文書に対して分析を行い、少なくとも一つのデータをキャプチャーし、前記第一データを発生することを特徴とする請求項１４記載のアプリケーション機能を迅速に起動する方法。
【請求項１６】
前記第一データはデータ型態、バイト及びデータ内容をサーチ条件とし前記データベースと比較対照することを特徴とする請求項１２記載のアプリケーション機能を迅速に起動する方法。
【請求項１７】
前記各第二データは名称或いはコード情報であることを特徴とする請求項１２記載のアプリケーション機能を迅速に起動する方法。
【請求項１８】
前記アプリケーション機能はアプリケーションプログラム或いはアプリケーションサービスであることを特徴とする請求項１２記載のアプリケーション機能を迅速に起動する方法。
【請求項１９】
前記アプリケーションサービスはリモートエンドのインターネットサーバーに連結することを特徴とする請求項１８記載のアプリケーション機能を迅速に起動する方法。
【請求項２０】
前記プロセッサー基本システムはモバイル通信装置、PDA、コンピュータ、工業用コンピュータシステム或いは情報家電製品であることを特徴とする請求項１２記載のアプリケーション機能を迅速に起動する方法。
【請求項２１】
前記プロセッサー基本システム中のアプリケーション機能を起動する方法はさらに、
(a)前記プロセス起動指令に基づき、その他データを入力する必要があるかどうかを判断し、(b)ステップ(a)の判断結果がイエスなら、さらに該プロセス起動指令に基づき、データが選択項方式により入力されたかどうかを確認し、
(c)ステップ(b)の確認結果がイエスなら、該プロセス起動指令と関連する機能候補選択肢を列記して選択に供し、前記一次保存ユニットに保存し、
(d)ステップ(b)の確認結果がノーなら、提示入力欄を表示しデータ入力を行い、前記一次保存ユニットに保存し、
(e)他に入力が必要なデータがないかどうかを判断し、
(f)ステップ(e)の判断結果がノーなら、該プロセス起動指令が対応するアプリケーション機能を起動し、前記一次保存ユニットのデータを前記アプリケーション機能中に属するデータ欄にロードすることを特徴とする請求項１２記載のアプリケーション機能を迅速に起動する方法。
【請求項２２】
前記ステップ(a)の判断結果がノーなら、直接ステップ(f)に進み、対応するアプリケーション機能を起動することを特徴とする請求項２１記載のアプリケーション機能を迅速に起動する方法。
【請求項２３】
前記ステップ(e)の判断結果がイエスなら、ステップ(b)に進み、データが選択項方式により入力されたかどうかを確認することを特徴とする請求項２１記載のアプリケーション機能を迅速に起動する方法。
【発明の詳細な説明】
【技術分野】
【０００１】
本発明は一種のプロセッサー基本システム中に用いアプリケーション機能を起動するシステム及びその方法に関する。特に入力データの識別を通してアプリケーション機能の迅速な起動を達成するシステム及びその方法に関する。
【背景技術】
【０００２】
モバイル通信及び民生用電子産業の発展に従い、今ではだれもがデジタル製品を所有している。しかも製品はどれも多機能特性を追求しているため、一つの製品(携帯電話端末等)が多種多様な機能を統合して使用可能であることが多い。これらの機能の選択はリスト及びサブリストの形式で表示され、これにより使用者は機能の分類を通して必要とする応用とサービスを選択することができる。
上記のような公知技術の選択方式は長い間の使用により、使用者にとっては既に習慣となってしまっているが、このような選択方式を通して、あるアプリケーションソフト或いはサービスを起動する時には、先ず該アプリケーションソフト或いはサービスがどのリストのどのメニューに分類されているかを知らなければ執行することはできない。さらには、該機能があるかどうかを探す必要があり、この選択及び探索の間に無意識の内に無数のボタンを押している。そのため、初めて使用する或いは類似製品をあまり使用しない使用者にとっては、かなり面倒である。
また、現在流通している携帯式製品、モバイル通信製品、さらには情報家電製品は、各製品機能間のデータを共用及び使用することができないという問題がある。より大きな演算機能のプロセッサーを備えるスマートフォン(SmartPhone)等の製品は複製及び貼り付けの機能を備えるが、アプリケーションソフトの起動が不便であるため、依然として使用上の困難を招いている。例えば、携帯電話端末の使用者がメールを見る時、その中の電話番号情報を電話帳中に保存しようとするなら、先ず該電話番号情報を記録し、電話帳機能に切り替えた後、初めて該電話番号情報を追加及び入力することができる。スマートフォンを使用するとしても、標示、複製、電話帳起動、貼り付け等のプロセスを経由しなければ達成することはできない。
上記のように、公知技術においては使用者は製品機能を使用する時、先ずファンクションメニュー中から応用しようとするソフトウェア或いはサービスを選択し、その後ようやく作業の内容を入力することができるため、操作の利便性及び実用性の面で改善の余地がある。
【発明の開示】
【発明が解決しようとする課題】
【０００３】
本発明が解決しようとする課題は、アプリケーション機能を迅速に起動するシステム及びその方法を提供し、入力するデータの識別を通して関連する機能候補の選択肢を自動的に列記して選択に供し、製品装置中においてアプリケーション機能を迅速に起動する目的を達成することである。
【課題を解決するための手段】
【０００４】
上記課題を解決するため、本発明は下記のアプリケーション機能を迅速に起動するシステム及びその方法を提供する。
本発明はアプリケーション機能を迅速に起動するシステムを提供し、それは主にプロセッサー基本システム中に適用され、受取ユニット、識別ユニット、機能選択インターフェース及び機能起動ユニットを含み、
前記受取ユニットは第一データを受け取り、
前記識別ユニットはさらにデータベースを含み、該識別ユニットは前記第一データを前記データベースと比較対照し、比較対照結果に基づき少なくとも一つの第二データを出力し、
前記機能選択インターフェースは前記各第二データに対して対応する機能候補選択肢を発生し、
前記機能起動ユニットは前記各機能候補選択肢の一つが選択され誘発されたことを探知すると、前記データベースから該機能候補選択肢のプロセス起動指令をロードし、前記プロセッサー基本システム中の対応するアプリケーション機能を起動する。
また本発明は機能選択の自動予測方法を提供し、それは主にプロセッサー基本システムに適用され、そのステップは以下を含む。
先ず第一データを受け取り、該第一データのフォーマットを分析し、該第一データをデータベースと比較対照し、
続いて比較対照結果に基づき、少なくとも符合する第二データを出力し、
また機能選択インターフェースを提供して、前記各第二データに基づき対応する機能候補選択肢を列記し、
さらに機能起動ユニットを通して前記各機能候補選択肢の一つが選択され誘発されたことを探知すると、該機能候補選択肢のプロセス起動指令を執行し、前記プロセッサー基本システム中の対応するアプリケーション機能を起動することを特徴とするアプリケーション機能を迅速に起動する方法である。
【発明の効果】
【０００５】
上記のように、本発明はプロセッサー基本システム中において、使用者が入力する第一データを識別することにより、関連する機能候補選択肢を列記して選択に供し、アプリケーション機能を迅速に起動する目的を達成し、さらに以下の長所を備える。
１．データの共用が便利：同一製品中において、あるアプリケーション機能中のデータは、文書内容のキャプチャー及び選択により、特定のサーチ条件によりデータベース中の内容と比較対照され、サーチ条件に符合するアプリケーション機能が列記して選択に供され、これにより各アプリケーション機能間でのデータの共用がより便利になる。
２．人に優しい操作：人は先ず行おうとする事があり、続いてどの方式によりそれを達成するかを考えるが、本発明はこの考え方を利用し操作上の設計と改良を行い、長い間慣用されて来た多数の製品の機能起動操作における習慣を変えた。つまり、これまでの先にアプリケーション機能を選択し、次に内容を入力する方式に代え、先に執行したい内容を入力し、次に使用するアプリケーション機能を選択する方式を採用し、人に優しい操作を達成することができる。
【発明を実施するための最良の形態】
【０００６】
以下に詳細説明及び図により、本発明が所定の目的を達成するため採用する方式、手段及び機能と効果について説明する。本発明のその他目的及び長所に関しては、後続の説明及び図中に記述する。
本発明のアプリケーション機能を迅速に起動するシステムの最適な実施例の構造ブロック図である図１に示すように、本発明が提供するアプリケーション機能を迅速に起動するシステムはプロセッサー基本システム中に適用され、受取ユニット１０、識別ユニット２０、機能選択インターフェース３０及び機能起動ユニット４０を含む。それが適用されるプロセッサー基本システムは、モバイル通信装置、PDA、コンピュータ、工業用コンピュータシステム或いは情報家電製品等で、しかもあらゆる画面において切換入力が可能な方法を支援するシステムである。
【０００７】
受取ユニット１０は第一データを受け取り、また受取ユニット１０はさらに一次保存ユニット１１を含み、前記第一データを保存する。前記第一データはキャラクターデータ或いはストリングデータで、入力モジュール８０或いはデータキャプチャーモジュール９０により発生する。
入力モジュール８０はボタンモジュール、手書き入力モジュール或いはリモコン等で、これにより使用者は直接入力が可能である。
データキャプチャーモジュール９０は既に存在する文書に対して分析を行い、その中の少なくとも一つのキャラクター或いはストリングをキャプチャーし、前記第一データを発生する。
識別ユニット２０はさらにデータベース２１を含む。識別ユニット２０は前記第一データをデータベース２１と比較対照し、比較対照に符合する少なくとも一つの第二データを出力する。データベース２１はデータ型態、バイト(Byte)及びデータ内容に応じてサーチ条件を分類する。データ型態は電話番号型態、時間型態、日時型態、数字及び数学算式型態、電子メールアドレス型態、URL型態、住所型態、さらには株式コード型態或いは航空便番号型態等である。また、第二データは名称或いはコード情報である。
機能選択インターフェース３０は各第二データが対応する機能に対して機能候補選択肢を発生し、各機能候補選択肢はそれぞれコードナンバー、文字説明、符号或いは図示等の欄を含み、これにより使用者は選択時に明確に区別することができる。
機能起動ユニット４０は、各機能候補選択肢の一つが選択され誘発された（起動された）と探知した後、データベース２１から該選択された機能候補選択肢のプロセス起動指令をロードし執行し、該プロセッサー基本システム中の対応するアプリケーション機能を起動する。該アプリケーション機能はアプリケーションプログラム５０或いはアプリケーションサービス６０等の機能である。
アプリケーションプログラム５０とはプロセッサー基本システム中において単機で執行されるプログラムで、アプリケーションサービス６０とはパケット伝送方式を通してリモートエンドのインターネットサーバー７０と連結して行うコミュニケーションを指す。
アプリケーションプログラム５０及びアプリケーションサービス６０は異なるプロセッサー基本システムに応じて異なるアプリケーション機能を有する。
【０００８】
本発明のアプリケーション機能を迅速に起動する方法の最適な実施例のフローチャートである図２に示すように、本発明が提供するアプリケーション機能を迅速に起動する方法は、モバイル通信装置、PDA、コンピュータ、工業用コンピュータシステム或いは情報家電製品等プロセッサー基本システム中に適用される。
本発明の方法は以下のステップを含む。
先ず、第一データを受け取り(S２０１)、一次保存ユニット１１中に保存する。該第一データはキャラクターデータ或いはストリングデータで、入力モジュール８０或いはデータキャプチャーモジュール９０により発生する。データキャプチャーモジュール９０は既に存在する文書に対して分析を行い、その内の少なくとも一つの文字或いは連続文字をキャプチャーし、該第一データを発生する。
続いて、該第一データのフォーマットを分析し、第一データをデータベース２１中の内容と比較対照し、少なくとも符合する第二データを出力する(S２０３)。該第一データはデータ型態、バイト(Byte)及びデータ内容をサーチ条件としてデータベース２１と比較対照される。各第二データは名称或いはコード情報である。
次に機能選択インターフェース３０を提供し、第二情報に基づき対応する機能候補選択肢を列記する(S２０５)。こうして、使用者は区別及び選択が可能となる。
続いて、機能起動ユニット４０は各機能候補選択肢の一つが使用者により選択され誘発されると、データベース２１中から該機能候補選択肢が示すプロセス起動指令をロードし執行する(S２０７)。
こうしてプロセッサー基本システム中の対応するアプリケーション機能を起動する(S２０９)。前記アプリケーション機能はアプリケーションプログラム５０或いはアプリケーションサービス６０を含み、アプリケーションプログラム５０は単機上で使用され、アプリケーションサービス６０によりリモートエンドのインターネットサーバー７０と連結され、コミュニケーションを行う。
【０００９】
本発明のプロセス起動指令を執行する方法のフローチャートである図３を参照しながら、図２中ステップ(S２０７)からステップ(S２０９)が執行するプロセス起動指令についてさらに説明する。
そのステップは以下を含む。
先ず、該プロセス起動指令に基づき、その他のデータを入力する必要があるかどうかを判断する(S３０１)。判断結果がイエスなら、プロセス起動指令に基づきデータが選択項方式により入力されたかどうかを確認し(S３０３)、確認結果がイエスなら、機能選択インターフェース３０上においてプロセス起動指令と関連する機能候補選択肢を列記して選択に供し、一次保存ユニット１１中に保存する(S３０５)。
ステップ(S３０３)の判断結果がノーなら、提示入力欄を表示し、使用者はデータ入力を行い、一次保存ユニット１１に保存する(S３０７)。
続いて、ステップ(S３０５)或いはステップ(S３０７)の後にステップ(S３０１)に進み、その他データを入力する必要があるかどうかを継続して判断する。これにより繰り返し判断を行い、ステップ(S３０１)の判断結果がノーである時、該プロセス起動指令が対応するアプリケーション機能を起動し、一次保存ユニット１１中のデータをアプリケーション機能中に属するデータ欄にロードする。
【００１０】
以下の実施例は皆、携帯電話端末を例として説明を行うが、アプリケーションプログラム５０及びアプリケーションサービス６０等のアプリケーション機能は、携帯電話端末の種類によって異なるため、以下に例示する説明の機能に限定するものではない。
本発明の第一応用実施例の操作指示図である図４に示すように、先ず携帯電話端末上において順番に数字を入力し完全な電話番号を形成し、データベース２１中の電話番号型態と符合することが判断されると、電話番号型態、バイトに符合する関連する機能候補選択肢が列記され、使用者の選択に供される。
機能候補選択肢は図に示すように、a:音声電話を掛ける、b:テレビ電話を掛ける、c:この番号にメールを発送する、d:連絡者の番号を保存する、e:内容発送メールとする、f:内容保存とする、g:サーチ内容とする、等を含むことができる。
使用者は機能選択インターフェース３０において、方向ボタンの操作或いは代表する数字ボタンを長く押すことにより、機能候補選択肢を選択し、アプリケーション機能を起動する。
例えば、数字ボタン「１」を長く押せば、音声電話を掛けるとなり、数字ボタン「３」を長く押せば、メールを該電話番号に発送可能となり、数字ボタン「７」を長く押せば、該電話番号によりメール内容を発送するとなり、数字ボタン「８」を長く押せば、関連内容を保存するの次のレベルの機能選択となる。
該レベル機能選択はまたf１:メール草稿、f2:連絡者備考、f3:スケジュール表、f4:執行待ち事項、f5:手帳等を含むことができる。
【００１１】
本発明の第二応用実施例の操作指示図である図５に示すように、先ず携帯電話端末において住所データを入力すると、データベース２１中の住所型態に符合するかどうかが判断された後、図に示すように、h:連絡者の住所を保存する、i:GPS(Global PositioningSystem)を起動する、e:内容発送メールとする、f:内容保存とする、及びg:サーチ内容とする等の機能候補選択肢が列記される。
操作選択方式は図４に説明したとおりである。もし数字ボタン「１」を長く押せば、入力住所データを連絡者の住所に保存し、数字ボタン「２」を長く押せば、GPSを起動し、入力する住所を直接定位することができる。
【００１２】
本発明の第三応用実施例の操作指示図である図６に示すように、使用者が四桁の数字を入力すると、元々計算に用いる演算符号機能候補選択肢を列記することができる他に、データベース２１中の株式コード型態に符合すると判断すれば、j:株式情報を検索するの機能候補選択肢を表示することができる。j:株式情報を検索するのアプリケーション機能は、アプリケーションサービス６０に属し、リモートエンドのインターネットサーバー７０と連結してコミュニケーションを行う。同様の操作において、数字ボタン「８」を長く押すと、株式情報を問合せるメールをリモートエンドのインターネットサーバー７０に送り、返信される株式情報のメールを受け取り表示することができる。
【００１３】
上記応用実施例中の第一データは使用者が手動により入力していたが、別種の方法では、データキャプチャーモジュール９０を通してメール上の少なくとも一キャラクター或いはストリングデータを表示し、第一データとし入力を行ない、データベース２１中の内容と比較対照することができる。こうして、メールを読む時、関連する機能候補選択肢に対応可能で、使用者は選択及び運用を行うことができる。
本発明の第四応用実施例の操作指示図である図７示すように、メール文書を受け取ると、メール文書上の日時及び時間を表示し、データベース２１中の日時型態及び時間型態に符合すると判断すると、同時にf3:スケジュール表、f4:執行待ち事項或いはf5:手帳等の２種の型態に符合する機能候補選択肢を列記することができる。同様の操作選択方式により、数字ボタン「１」を長く押すと、スケジュール表アプリケーションプログラムを起動し、データをf3:スケジュール表中に属するデータ欄にロードする。
上記は本発明の具体的実施例の詳細な説明及び図式に過ぎず、本発明を限定するものではない。本発明の保護範囲は、特許請求の範囲で指定した内容を基準とする。当該技術を熟知する者が本発明の領域内で行う簡単な修飾及び変化の運用もすべて本発明の特許範囲に含まれるものとする。
【図面の簡単な説明】
【００１４】
【図１】本発明のアプリケーション機能を迅速に起動するシステムの最適な実施例の構造ブロック図である。
【図２】本発明のアプリケーション機能を迅速に起動する方法の最適な実施例のフローチャートである。
【図３】本発明のプロセス起動指令を執行する方法のフローチャートである。
【図４】本発明の第一応用実施例の操作指示図である。
【図５】本発明の第二応用実施例の操作指示図である。
【図６】本発明の第三応用実施例の操作指示図である。
【図７】本発明の第四応用実施例の操作指示図である。
【符号の説明】
【００１５】
１０  受取ユニット
１１  一次保存ユニット
２０  識別ユニット
２１  データベース
３０  機能選択インターフェース
４０  機能起動ユニット
５０  アプリケーションプログラム
６０  アプリケーションサービス
７０  リモートエンドのインターネットサーバー
８０  入力モジュール
９０  データキャプチャーモジュール
a  音声電話を掛ける
b  テレビ電話を掛ける
c  この番号にメールを発送する
d  連絡者の番号を保存する
e  内容発送メールとする
f  内容保存とする
f１  メール草稿
f２  連絡者備考
f３  スケジュール表 
f４  執行待ち事項
f５  手帳
g  サーチ内容とする
h  連絡者の住所を保存する
I  GPSを起動する
J  株式情報を検索する
【図１】
2007317190.tif 000003
【図２】
2007317190.tif 000004
【図３】
2007317190.tif 000005
【図４】
2007317190.tif 000006
【図５】
2007317190.tif 000007
【図６】
2007317190.tif 000008
【図７】
2007317190.tif 000009